(57)【要約】【課題】    電磁石装置が組み込まれた後であっても平衡ばねの負荷調整を容易に行なうことができる光スイッチを提供することにある。【解決手段】    光路切換装置３と、プリズム３１に機械的に結合されたアマチュア２１を具備しアマチュア２１を直進移動させる電磁石装置２と、光路切換装置３および電磁石装置２を収納した器体１とを備え、電磁石装置２は、アマチュア２１、平衡ばね２７、鉄芯２５、コイル２３を具備し、アマチュア２１は、主体部２１ｃと、主体部の両端部にそれぞれ設けられる第１の接極片２１ａ及び第２の接極片２１ｂとを有し、各平衡ばね２７が磁極片２５ａ、２５ｂを結ぶ方向において両接極片２１ａ、２１ｂの中間部で前記アマチュア２１の主体部２１ｃに結合されてなる光スイッチであって、少なくともひとつの光結合状態において、アマチュア２１に対して、他の光結合状態に変化する移動方向にばね負荷を付勢するばね付勢手段５を備える。【選択図】  図１
2005156820.tif 000002
【特許請求の範囲】
【請求項１】
直進移動可能なプリズムを用いて複数本の光ファイバの光結合状態を切り換えることにより光路を変化させる光路切換装置と、扁平な板状部材からなる主体部と前記主体部の両端部に設けられて各磁極片に対してそれぞれ離接可能な接極片とを備えるとともに、前記プリズムに機械的に結合されたアマチュアを具備しこのアマチュアを直進移動させる電磁石装置と、前記光路切換装置および前記電磁石装置を収納した器体とを備え、前記電磁石装置は、前記アマチュアと、ばね性を有した板ばねからなり前記プリズムの移動方向における前記アマチュアの両側面に沿ってそれぞれ前記プリズムの移動方向に配設され、一端が前記器体に対して定位置に固定されるとともに他端が前記アマチュアの主体部に結合される平衡ばねと、両端部に磁極片を備える鉄芯と、この鉄芯を励磁するコイルとを備えた光スイッチであって、
少なくともひとつの光結合状態において、前記アマチュアに対して、他の光結合状態に変化する移動方向にばね負荷を付勢するばね付勢手段を備えることを特徴とする光スイッチ。
【請求項２】
前記ばね付勢手段は、器体に固定された底部と、ばね部材からなるとともに、互いに対向するよう底部から突設される一対の付勢部とを具備して、前記付勢部がアマチュアに対して、他の光結合状態に変化する移動方向にばね負荷を付勢するものであって、
当該一対の付勢部間に、移動方向側の側面が付勢部に対向するようアマチュアが設置されるものであることを特徴とする請求項１に記載の光スイッチ。
【発明の詳細な説明】
【技術分野】
【０００１】
本発明は、複数本の光ファイバの間で光路の組合せを切り換える光スイッチに関するものである。
【背景技術】
【０００２】
器体内部のデッドスペースを小さくすることによって小型化を可能とした機械式の光スイッチとしては、図４に示すように、複数本の光ファイバ４ａ〜４ｄの端面にそれぞれ光結合されたコリメート用のレンズ３５が定位置に配置され直進可能なプリズム３１を用いてレンズ間の光路の組合せを切り換える光路切換装置３と、プリズム３１に機械的に結合されたアマチュア２１を備えてこのアマチュア２１を同図のＸＹ方向に直進移動させる電磁石装置２と、光路切換装置３及び電磁石装置２を収納した器体１とを備え、プリズム３１の移動方向に沿ってそれぞれプリズム３１の移動方向にばね性を有した板ばねからなる平衡ばね２７が配設され、平衡ばね２７の一端が器体に対して定位置に固定され平衡ばね２７の他端がアマチュア２１に結合され、アマチュア２１の移動方向において電磁石装置２と光路切換装置３とが隣接して配置されるものが知られている。このものにあっては、プリズム３１はアマチュア２１に結合されているため、電磁石装置２のコイル２３への通電を制御することによってアマチュア２１が移動すると、プリズム３１がアマチュア２１の移動方向に移動する。このような動作により、プリズム３１をレンズ保持基台３４におけるレンズ台３４ａの間に挿入される位置にきて、光ファイバ４ａと光ファイバ４ｄとが光結合されるとともに光ファイバ４ｂと光ファイバ４ｃとが光結合される状態（セット状態）と、プリズム３１がレンズ台３４ａの間から後退して、光ファイバ４ａと光ファイバ４ｃとが光結合されるとともに光ファイバ４ｂと光ファイバ４ｄとが光結合される状態（リセット状態）の２状態を切り換えることが可能になる（特許文献１）。
【０００３】
しかし、かかる光スイッチにおいては、平衡ばね２７によるアマチュア２１への負荷が一定の範囲にする必要があり、平衡ばね２７が付勢するアマチュア２１へのばね負荷が小さい場合には、動作不良発生が懸念され、反対に付勢するばね負荷が大きい場合には、アマチュア２１の移動がスムーズに行なうことができず、その結果として応答性が悪くなる一方で、一旦電磁石装置２として組み立てられてしまうと、平衡ばね２７の負荷調整が不可能になるという問題点があった。
【特許文献１】特開２００３−０１５０５９号公報
【発明の開示】
【発明が解決しようとする課題】
【０００４】
本発明は、このような点に鑑みてなされたものであり、その目的とするところは、電磁石装置が組み込まれた後であっても平衡ばねの負荷調整を容易に行なうことができる光スイッチを提供することを目的としている。
【課題を解決するための手段】
【０００５】
上記した課題を解決するために、本発明の請求項１に係る光スイッチは、直進移動可能なプリズムを用いて複数本の光ファイバの光結合状態を切り換えることにより光路を変化させる光路切換装置と、扁平な板状部材からなる主体部と前記主体部の両端部に設けられて各磁極片に対してそれぞれ離接可能な接極片とを備えるとともに、前記プリズムに機械的に結合されたアマチュアを具備しこのアマチュアを直進移動させる電磁石装置と、前記光路切換装置および前記電磁石装置を収納した器体とを備え、前記電磁石装置は、前記アマチュアと、ばね性を有した板ばねからなり前記プリズムの移動方向における前記アマチュアの両側面に沿ってそれぞれ前記プリズムの移動方向に配設され、一端が前記器体に対して定位置に固定されるとともに他端が前記アマチュアの主体部に結合される平衡ばねと、両端部に磁極片を備える鉄芯と、この鉄芯を励磁するコイルとを備えた光スイッチであって、少なくともひとつの光結合状態において、前記アマチュアに対して、他の光結合状態に変化する移動方向にばね負荷を付勢するばね付勢手段を備えることを特徴とする。
【０００６】
本発明の請求項２に係る光スイッチは、ばね付勢手段が、器体に固定された底部と、ばね部材からなるとともに、互いに対向するよう底部から突設される一対の付勢部とを具備して、前記付勢部がアマチュアに対して、他の光結合状態に変化する移動方向にばね負荷を付勢するものであって、この一対の付勢部間に、移動方向側の側面が付勢部に対向するようアマチュアが設置されるものであることを特徴とする。
【発明の効果】
【０００７】
本発明の請求項１に係る光スイッチによると、少なくともひとつの光結合状態において、アマチュアに対して、他の光結合状態に変化する移動方向にばね負荷を付勢するばね付勢手段を備えるので、光スイッチが一旦組み立てられた後であっても、ばね付勢手段によりアマチュアにばね負荷を付勢することができる。そのため、光スイッチが組み立てられた結果、平衡ばねによりアマチュアに付勢されるばね負荷に過不足がある場合でも、ばね付勢手段によりアマチュアに所望のばね負荷を付勢して、全体としてアマチュアに付勢されるばね負荷を容易に増減して調整することができる。
【０００８】
本発明の請求項２に係る光スイッチによると、上述した請求項１の効果に加えて、ばね付勢手段は、器体に固定された底部と、ばね部材からなるとともに、互いに対向するよう底部から突設される一対の付勢部とを具備して、この付勢部がアマチュアに対して、他の光結合状態に変化する移動方向にばね負荷を付勢するものであって、一対の付勢部間に、移動方向側の側面が付勢部に対向するようアマチュアが設置されているので、いずれの光結合状態においても、アマチュアの他の光結合状態に変化する移動方向にばね負荷を付勢することができ、セット方向リセット方向の双方向において平衡ばねによりアマチュアに付勢されるばね負荷に過不足がある場合でも、ばね付勢手段によりアマチュアに所望のばね負荷を付勢して、全体としてアマチュアに付勢されるばね負荷を容易に増減して調整することができる。
【発明を実施するための最良の形態】
【０００９】
本発明の実施形態を図１及び図２に基づいて説明する。図１及び図２において、１は器体、１ａは器体１の主収納部、１ｂは器体１の導入部、２は電磁石装置、２ａはコイルブロック、２ｂはアマチュアブロック、３は光切換装置、４ａ〜４ｄは光ファイバ、５はばね付勢手段、５ａはばね付勢手段５の底部、５ｂはばね付勢手段５の付勢部、１１はベース、１２はカバー、２１はアマチュア、２１ａ及び２１ｂはアマチュア２１の接極片、２１ｃは主体部、２２はコイル枠、２２ａは端子台、２２ｂは磁石保持片、２２ｃは鍔片、２２ｆは保持溝、２３はコイル、２５は鉄芯、２５ａ及び２５ｂは磁極片、２６は永久磁石、２７は平衡ばね、２７ａはばね片、２７ａａ、２７ａｂ、２７ａｃ、２７ａｄはばね素片、２８は固定板、２９はプリズム取付台、３１はプリズム、３４はレンズ保持基台、３４ａはレンズ台、３４ｂは連結側板、３５はレンズ、３６はピグテールである。
【００１０】
図１は、本実施形態における光スイッチの概略を示す分解斜視図である。同図に示すように、器体１は、ベース１１とカバー１２との２部材を結合して組み立てられ、直方体状の主収納部１ａを有し、主収納部１ａの長手方向の両側面における各一端部からそれぞれ筒状の導入部１ｂが突設された形状に形成されている。主収納部１ａおよび両導入部１ｂは、いずれもベース１１とカバー１２とを突き合わせて形成されている。この主収納部１ａには以下に詳述する光切換装置３および電磁石装置２が収納され、両導入部１ｂには光路切換装置３に結合するための４本の光ファイバ４ａ〜４ｄが（より詳細には、一方の導入部１ｂには２本の光ファイバ４ｃ、４ｄが、他方の導入部１ｂには２本の光ファイバ４ａ、４ｄが）収納される。
【００１１】
光路切換装置３は、４本の光ファイバ４ａ〜４ｄ間の光結合関係をプリズム３１の有無によって切り換えるものであって、光路を形成する光ファイバ４ａ〜４ｄの端末を保持するために焼結合金により形成されたレンズ保持基台３４が設けられる。レンズ保持基台３４は、各２個のレンズ（コリメートレンズ）３５を保持する角柱状の一対のレンズ台３４ａを備え、両レンズ台３４ａはレンズ３５の一端面を互いに対向させるように配置される。すなわち、レンズ台３４ａに保持された各２個のレンズ３５は互いに対向するように配置され、そのため、光ファイバ４ａ，４ｂと光ファイバ４ｃ，４ｄとの間で光を通過させることが可能になる。
【００１２】
光ファイバ４ａ〜４ｄの端末部は円筒状に形成されたピグテール３６に結合され、ピグテール３６の端面がレンズ３５と接着されることによって、光ファイバ４ａ〜４ｄとレンズ３５とが光結合される。なお、レンズ３５はコリメータレンズであって、レンズ台３４ａの間での光を平行光線にするために設けられている。レンズ保持基台３４に保持されたピグテール３６および光ファイバ４ａ〜４ｄは、ベース１１とカバー１２との導入部１ｂにそれぞれ収納される。
【００１３】
また、両レンズ台３４ａにおいて図１における手前の側面間は連結側板３４ｂにより連結され、図１における下面間は連結下板（図示せず）により連結される。一方、電磁石装置２を構成するコイル枠２２の端子台２２ａには幅方向の両側に開放された保持溝２２ｆが設けられる。保持溝２２ｆの内部には鉄芯２５の一部が露出しており、この露出部位にはねじ受け穴に重複する挿通孔（図示せず）が貫設される。
【００１４】
電磁石装置２は、合成樹脂成形品のコイル枠２２を備えるコイルブロック２ａと、アマチュア２１を備えるアマチュアブロック２ｂとにより構成される。コイル枠２２は長手方向の両端部に端子台２２ａを有するとともに、長手方向の中央部に磁石保持片２２ｂを有し、端子台２２ａには磁石保持片２２ｂと対向する鍔片２２ｃが形成される。各端子台２２ａに設けた鍔片２２ｃと磁石保持片２２ｂとの間の部位にはコイル２３の巻線が巻装される。
【００１５】
このコイル枠２２は断面Ｕ字状の鉄芯２５を保持しており、鉄芯２５の中央片（図示せず）はコイル枠２２においてコイル２３が巻装されている部位の内部を通り、鉄芯２５の両端部に設けた磁極片２５ａ、２５ｂはそれぞれ端子台２２ａから突出する。磁極片２５ａ、２５ｂの先端部は鍔片２２ｃを越えてコイル２３よりも外側に突出する。また、磁石保持片２２ｂには永久磁石２６が埋設され、永久磁石２６の一方の磁極は鉄芯２５の中央片に磁気結合され、他方の磁極は磁石保持片２２ｂの外周面に露出する。ここに、鉄芯２５の磁極片２５ａ、２５ｂが突出する向きと永久磁石２６の磁極が磁石保持片２２ｂから露出する面の向きとは同じ向きになっている。
【００１６】
図２は、本実施形態におけるアマチュア２１を示す正面図及び側面図である。同図に示すように、アマチュア２１は、図１に示す鉄芯２５の各磁極片２５ａ、２５ｂにそれぞれ離接可能な接極片２１ａ、２１ｂを扁平な四角形板状の主体部２１ｃの両端部に備えるとともに、主体部２１ｃの一方の側面にプリズム取付台２９が連続一体に突設されている。図１及び図２に示すように、各磁極片２１ａ、２１ｂは、主体部２１ｃの長手方向の各端面において、主体部２１ｃの幅方向の互いに異なる端部から移動方向と直交する方向に延設されているとともに、コイルブロック２ａの幅方向において、一方の接極片２１ａが磁極片２５ａの一面に対向した場合には、他方の接極片２１ｂは磁極片２５ｂの他面に対向する関係となるよう接極片２１ａ、２１ｂの中心間距離と鉄芯２５の磁極片２５ａ、２５ｂの中心間距離とがほぼ一致するよう接極片の幅寸法が設定されている。
【００１７】
このアマチュア２１は、図１に示すように、板ばねからなる平衡ばね２７を介して一対の固定板２８に結合され、各固定板２８はコイルブロック２ａに設けた端子台２２ａに結合される。平衡ばね２７はアマチュア２１の各側面に対向するとともにアマチュア２１の長手方向に沿って延長された一対のばね片２７ａと、両ばね片２７ａの長手方向の両端部をそれぞれＬ字状に折曲して形成した取付片２７ｂと、両ばね片２７ａの長手方向の中央部間を連結する連結片２７ｃとを連続一体に備える形状に金属のばね材料により形成される。つまり、連結片２７ｃにおけるアマチュア２１の移動方向の各端部にそれぞればね片２７ａが連続一体に設けられる。さらに、平衡ばね２７には、両ばね片２７ａの長手方向の両端部において取付片２７ｂと直交する形で両ばね片２７ａ間を連結する橋絡片２７ｄが設けられ、平衡ばね２７に他部材を結合しない状態でもばね片２７ａが広がるのを防止してある。
【００１８】
ばね片２７ａの各端部に設けた取付片２７ｂは、それぞれ固定板２８に重ねられ固定板２８にそれぞれかしめ固定される。各固定板２８にはそれぞれ挿入片２８ａが突設され、各挿入片２８ａは端子台２２ａに設けた固定孔２２ｅに圧入されることにより固定板２８がコイル枠２２に固定される。つまり、各ばね片２７ａは連結片２７ｃによって独立して可撓となる２つの部分を有することになる。言い換えると、アマチュア２１は、一方の固定板２８と連結片２７ｃとの間を連結する両側一対のばね素片２７ａａ、２７ａｂで支持されるとともに、他方の固定板２８と連結片２７ｃとの間を連結する両側一対のばね素片２７ａｃ、２７ａｄで支持されることになり、合計４本のばね素片２７ａａ〜２７ａｄで支持されていることになる。また、連結片２７ｃは、アマチュア２１の移動方向（幅方向）における一端部が２つの分岐片２７ｆを有する二股状に形成されており、各分岐片２７ｆにそれぞればね素片２７ａｂ、２７ａｄが連続一体に設けられた形になっている。連結片２７ｃは全体としては三叉状に形成され、各片がそれぞれダボ２１ｅによってアマチュア２１に固着される。
【００１９】
このように、アマチュア２１の中央部は永久磁石２６のＮ極に近接しているからアマチュア２１がＮ極に磁化されており、コイル２３に通電して鉄芯２５の片側の磁極片２５ａをＳ極に励磁したときには、磁極片２５ａとアマチュア２１の接極片２１ａとの間に吸引力が作用するとともに、もう片側の磁極片２５ｂとアマチュア２１の接極片２１ｂとの間に反発力が作用して、アマチュア２１が図１における矢印のＸの向きに移動する。ここで、コイル２３への通電を停止しても永久磁石２６の磁力によってアマチュア２１の位置は保持される。一方、コイル２３の通電方向を切り換えて鉄芯２５の反対側の磁極片２５ｂをＳ極に励磁したときには、接極片２１ａと磁極片２５ａとが反発するとともに接極片２１ｂが磁極片２５ｂに吸引されてアマチュア２１が図１における矢印のＹの向きに移動する。この位置で通電を停止した場合も永久磁石２６の磁力によってアマチュア２１の位置は保持される。このように、コイル２３への通電を制御することによって、アマチュア２１を幅方向に平行移動させることが可能になる。
【００２０】
プリズム取付台２９はアマチュア２１の長手方向の中央部においてばね片２７ａと交差する形で形成され、その外表面にプリズム３１が接着等により固定される。そのため、電磁石装置２のコイル２３への通電を制御することによってアマチュア２１が移動すると、プリズム３１がアマチュア２１の移動方向に移動する。つまり、アマチュア２１の移動に伴ってプリズム３１をレンズ保持基台３４におけるレンズ台３４ａの間に挿入される位置とレンズ台３４ａの間から後退する位置との間で移動させることが可能になる。このような動作により、光ファイバ４ａと光ファイバ４ｄとが光結合されるとともに光ファイバ４ｂと光ファイバ４ｃとが光結合される状態（セット状態）と、光ファイバ４ａと光ファイバ４ｃとが光結合されるとともに光ファイバ４ｂと光ファイバ４ｄとが光結合される状態（リセット状態）との２状態を切り換えることが可能になる。
【００２１】
次に、本発明の要旨であるばね付勢手段５の構造について説明する。図１に示すように、ばね付勢手段５は、四角形の板状部材からなる底部５ａと、底部５ａの長手方向の両端部近傍から垂直に突設されるとともに互いに対向する短冊状の付勢部５ｂ、５ｃとから構成される。２つの付勢部５ｂ、５ｃは幅や高さが同一になるよう形成されており、２つの付勢部５ｂ、５ｃ間の距離は、移動方向における平衡ばね２７の幅（図１における矢印方向の平衡ばね２７の幅）Ｗ１よりも大きく、このＷ１にアマチュア２１の移動量Ｗ２を足した距離よりも小さい範囲内の適当な間隔に設定してある。この付勢部５ｂ、５ｃはベリリウム銅のような弾性体からなり底部５ａから突設される角度を調整することができる。
【００２２】
一方のばね付勢部５ｂはばね素片２７ａａ、２７ａｃからなるばね片２７ａと、他方の付勢部５ｃはばね素片２７ａｂ、２７ａｄからなるばね片２７ａとそれぞれ対向するよう、アマチュア２１の長手方向の中央部に設置されている。
【００２３】
このように設置したばね付勢手段５は、アマチュア２１が駆動してセット状態にある場合にはリセット方向にばね負荷が付勢され、リセット状態にある場合はセット方向にばね負荷が付勢される。かかるばね付勢手段５の動作の詳細を、図３に基づいて以下に説明する。
【００２４】
図３は、ばね付勢手段５の動作の概略を示す説明図である。同図において、アマチュア２１は左右に移動し、アマチュア２１が右側に位置する場合はセット状態であり、左側に位置する場合はリセット状態になっている。同図（ａ）は、図１に示すプリズム３１がセット状態にある場合を示しており、この状態では平衡ばね２７のばね負荷はリセット方向に生じているとともに、アマチュア２１とともに移動した平衡ばね２７によりばね付勢手段５の一方の付勢部５ｂの先端部は弾性変形されている。そのため、平衡ばね２７の付勢部５ｂとの接触部には、付勢部５ｂによるばね負荷が付勢され、アマチュア２１の側面には、平衡ばね２７と付勢部５ｂの双方よりばね負荷が付勢されるようになっている。
【００２５】
このようなセット状態からリセット状態に移行すると、同図（ｂ）に示すように、アマチュア２１が移行過程の略中間地点においては、付勢部５ｂ、５ｃのいずれも平衡ばね２７とは非接触状態となり、平衡ばね２７は付勢部５ｂ、５ｃのいずれからもばね負荷を付勢されない。その後、同図（ｃ）に示すように、アマチュア２１がさらに移動してリセット状態である左側に位置する場合は、平衡ばね２７によりばね付勢手段５の他方の付勢部５ｃの先端部は、アマチュア２１とともに移動した平衡ばね２７により弾性変形されている。そのため、同図（ａ）における付勢部５ｂの場合と同様に、平衡ばね２７の付勢部５ｃとの接触部には、付勢部５ｃによるばね負荷が付勢され、アマチュア２１の側面には、平衡ばね２７と付勢部５ｃの双方よりばね負荷が付勢されるようになっている。
【００２６】
また、上述したように、付勢部５ｂ、５ｃはいずれも、底部５ａから突設する角度を調整することにより、平衡ばね２７に付勢するばね負荷を増減して、適当なばね負荷となるよう調節することができる。例えば、同図（ａ）において、セット状態における平衡ばね２７および初期状態における付勢部５ｂのアマチュア２１に付勢するばね負荷が、スムーズなセット・リセットの切換に必要な値を満たさない場合には、底部５ａに対する付勢部５ｂの立設角度を左側の所定量傾斜させて、付勢部５ｂによるばね負荷を大きくする。かかる調整は付勢部５ｃにおいても行なうことができるのはいうまでもない。
【００２７】
このような構成にすることにより、光スイッチが一旦組み立てられた後であっても、ばね付勢手段５によりアマチュア２１にばね負荷を付勢することができる。そのため、光スイッチが組み立てられた結果、平衡ばね２７によりアマチュア２１に付勢されるばね負荷に過不足がある場合でも、ばね付勢手段５によりアマチュア２１に所望のばね負荷を付勢して、全体としてアマチュア２１に付勢されるばね負荷を容易に増減して調整することができる。特に本実施形態においては、いずれの光結合状態においても、アマチュア２１の他の光結合状態に変化する移動方向にばね負荷を付勢することでき、セット方向・リセット方向の双方向において平衡ばね２７によりアマチュア２１に付勢されるばね負荷に過不足がある場合でも、ばね付勢手段５によりアマチュア２１に所望のばね負荷を付勢して、全体としてアマチュア２１に付勢されるばね負荷を容易に増減して調整することができる。
【００２８】
なお、本実施形態においては、ばね付勢手段５は平衡ばね２７にばね負荷を付勢するもの、すなわち、平衡ばね２７を介して間接的にアマチュア２１にばね負荷を付勢するものであったが、これに限定されるものではなく、アマチュア２１に付勢部５ｂ、５ｃを直接接触させるようにする等して、直接的にアマチュア２１にばね負荷を付勢する構成であってもよい。
【００２９】
また、本実施形態におけるばね付勢手段５の２つの付勢部５ｂ、５ｃが互いに対向する構成であったが、これに限定されるものではなく、例えば、アマチュア２１のプリズム３１との接合部を避けるために、プリズム３１との接合している側の付勢部を略Ｕ字状にしてもよい。さらに、本実施形態におけるばね付勢手段５は、双方のばね付勢部５ｂ、５ｃが、アマチュア２１の移動方向側の両側面と対向するよう設置されているが、これに限定されるものではなく、付勢部５ｂのみが、アマチュア２１の一方の側面にのみ対向するよう設置されてもよい。
【００３０】
また、本実施形態においては、アマチュア２１の長手方向の中央部付近に１つのばね付勢部５のみが設置されているものであったが、これに限定されるものではなく、長手方向に等間隔に複数個設置するもの、例えば２つのばね付勢手段からなり、第１のばね付勢手段の付勢部が、ばね素片２７ａａ及びばね素片２７ａｂそれぞれの略中央部と対向するものであり、第２のばね付勢手段の付勢部が、ばね素片２７ａｃ及びばね素片２７ａｄそれぞれの略中央部と対向するものであってもよい。この場合、アマチュア２１を支持する４つのばね素片２７ａａ〜２７ａｄのばね負荷を個別に可変できるので、より精密なばね負荷の調整を行なうことが可能となる。
【００３１】
さらに、本実施形態におけるばね付勢手段５は、底部５ａと底部５ａの長手方向の両端部近傍から垂直に突設されて互いに対向する付勢部５ｂ、５ｃとから構成されるものであったが、これに限定されるものではなく、底部を備えずに付勢部のみが設置されているもの、例えば器体１の主収納部１ａにおけるばね片２７ａと対向する側壁面に、アマチュア２１を直接もしくはばね片２７ａを介して間接的にばね負荷を付勢する付勢部が設置されているものであってもよい。
【図面の簡単な説明】
【００３２】
【図１】本実施形態における光スイッチの概略を示す分解斜視図である。
【図２】本実施形態におけるアマチュアを示す正面図及び側面図である。
【図３】本実施形態におけるばね付勢手段の動作の概略を示す説明図である。
【図４】従来例を示す概略図である。
【符号の説明】
【００３３】
１      器体
２      電磁石装置
３      光切換装置
４ａ〜４ｄ  光ファイバ
５      はばね付勢手段
２１    アマチュア
２１ａ、２１ｂ  接極片
２１ｃ  主体部
２３    コイル
２５    鉄芯
２５ａ、２５ｂ  磁極片
２７    平衡ばね
３１    プリズム
【図１】
2005156820.tif 000003
【図２】
2005156820.tif 000004
【図３】
2005156820.tif 000005
【図４】
2005156820.tif 000006